(57)【要約】【課題】  靴下の生地をその内部から広げることができる靴下ハンガーを提供する。【解決手段】  靴下のふくらはぎ部分に沿うふくらはぎ部枝１１と、ふくらはぎ部枝１１に連結されていて靴下の足裏部に沿う足裏部枝１２と、靴下のすね部分に沿う拡張すね部枝２１と、拡張すね部枝２１に、付勢ばね８を伴う回転可能保持部２１Ｐによって連結され、靴下の甲部分に沿う拡張甲部枝２２と、ふくらはぎ部枝１１に対する拡張すね部枝２１の可動範囲を規制する、すね部可動範囲規制部３と、拡張甲部枝２２に対する足裏部枝１２の可動範囲を規制する、足裏可動範囲規制部４とを有し、  拡張甲部枝２２の一端には、ふくらはぎ部枝１１の面上を移動する面上移動部２２１が設けられ、面上移動部２２１をふくらはぎ部枝１１の面上に押し付ける向きに回転させるように、付勢ばね８が拡張甲部枝２２を付勢する靴下ハンガー。【選択図】図１
2019005523.tif 000002
【特許請求の範囲】
【請求項１】
靴下のふくらはぎ部分の形状に沿うふくらはぎ部枝と、
該ふくらはぎ部枝に連結されていて前記靴下の足裏部の形状に沿う足裏部枝と、
前記靴下のすね部分の形状に沿う拡張すね部枝と、
該拡張すね部枝に、付勢ばねを伴う回転可能保持部によって連結され、前記靴下の甲部分の形状に沿う拡張甲部枝と、
前記ふくらはぎ部枝に対する前記拡張すね部枝の可動範囲を規制する、すね部可動範囲規制部と、
前記拡張甲部枝に対する前記足裏部枝の可動範囲を規制する、足裏可動範囲規制部とを有し、
前記回転可能保持部は前記拡張甲部枝の両端よりも内側に設けられ、
前記拡張甲部枝の一端には、前記ふくらはぎ部枝の面上を移動する面上移動部が設けられ、
前記面上移動部を前記ふくらはぎ部枝の面上に押し付ける向きに回転させるように、前記付勢ばねが前記拡張甲部枝を付勢する靴下ハンガー。
【請求項２】
一端が前記ふくらはぎ部枝に対して回転可能に保持され、他の一端が前記拡張すね部枝に対して回転可能に保持されている第１離間枝と、
該第１離間枝に平行に位置するように、両端がそれぞれ、前記前記ふくらはぎ部枝と前記拡張すね部枝とに対して回転可能に保持されている第２離間枝とを有し、
前記第１離間枝と前記第２離間枝とが互いに平行な位置関係を保ちながらそれぞれ回転することにより、前記第１離間枝と前記第２離間枝とが前記すね部可動範囲規制部を構成している、請求項１に記載の靴下ハンガー。
【請求項３】
一端が前記拡張甲部枝に対して回転可能に保持されている足裏部連結枝を有し、
該足裏部連結枝の他の一端が、前記足裏部枝の延びている方向に往復動移動可能に、前記足裏部枝保持されていることにより、
前記足裏部連結枝が前記足裏可動範囲規制部を構成している、請求項１又は請求項２に記載の靴下ハンガー。
【請求項４】
前記ふくらはぎ部枝と前記拡張すね部枝とを連結し、前記ふくらはぎ部枝と前記拡張すね部枝とが離れるように付勢する弾性連結部を有する、請求項１、請求項２又は請求項３に記載の靴下ハンガー。
【発明の詳細な説明】
【技術分野】
【０００１】  本発明は洗濯した靴下を干すのに好適な靴下ハンガーに関する。
【背景技術】
【０００２】  洗濯した靴下を干す際には、ハンガーに吊るすだけでなく、靴下内部に空間を設けたり、生地を張ったりした方が乾き易い。また、木綿を多く含む薄手のビジネス用靴下は脱水機によって生じた皺が延ばされて乾燥後の仕上がりがきれいになる。このような目的の靴下ハンガーが特許文献１や特許文献２に記載されている。【０００３】  特許文献１には、ビニール被覆された針金で形作られた靴下形状のくつ下ハンガー（１）〔特許文献１の図１及び図２〕が記載されている。これは洗濯後の靴下をこのくつ下ハンガーに被せて干し上げるものである。【０００４】  また、特許文献２には、長い挟み片（１）と短い挟み片（２）とで靴下を挟んで吊るす靴下の開き干し器が記載されている。靴下を同器に吊るした時、長い挟み片（１）は靴下の内部に挿入されている〔特許文献２の図２〕。そして、この長い挟み片（１）には開き部材（６）が設けられている。靴下内部に長い挟み片（１）を挿入した後に、開き部材（６）が長い挟み片（１）に対して回転させられることによって、靴下の生地をその内部から広げることができる〔特許文献２の図２（イ）〕。同文献の図３（ロ）には、４節回転機構（１３）によって、開き部材（６）は長い挟み片（１）に対して平行になる構成が表されている。そして、使用者が平行な開き部材（６）を長い挟み片（１）から離すように操作することにより、靴下の生地をその内部から広げることができる。
【先行技術文献】
【特許文献】
【０００５】
【特許文献１】実開平７−９２８９号公報
【特許文献２】特開２００７−３３０７５３号公報
【発明の概要】
【発明が解決しようとする課題】
【０００６】  しかし、特許文献１に記載のくつ下ハンガーは、洗濯で縮んだ靴下若しくは脱水処理で皺が寄って縮んだ靴下を伸ばしながら、その針金で形作られた靴下形状に被せる手間がかかる。一方、特許文献２に記載の靴下の開き干し器は、靴下内部に同器を挿入した後、開き部材（６）を操作して靴下の生地をその内部から広げる手間がかかる。【０００７】  そこで本発明の目的は、洗濯や脱水処理で縮んだ靴下に挿入した後、容易に靴下の生地をその内部から広げることができる靴下ハンガーを提供することにある。
【課題を解決するための手段】
【０００８】  本発明の実施形態に係る構成を、靴下のふくらはぎ部分の形状に沿うふくらはぎ部枝と、該ふくらはぎ部枝に連結されていて前記靴下の足裏部の形状に沿う足裏部枝と、
前記靴下のすね部分の形状に沿う拡張すね部枝と、該拡張すね部枝に、付勢ばねを伴う回転可能保持部によって連結され、前記靴下の甲部分の形状に沿う拡張甲部枝と、前記ふくらはぎ部枝に対する前記拡張すね部枝の可動範囲を規制する、すね部可動範囲規制部と、前記拡張甲部枝に対する前記足裏部枝の可動範囲を規制する、足裏可動範囲規制部とを有する靴下ハンガーとした。前記回転可能保持部は前記拡張甲部枝の両端よりも内側に設けられ、前記拡張甲部枝の一端には、前記ふくらはぎ部枝の面上を移動する面上移動部が設けられている。前記面上移動部を前記ふくらはぎ部枝の面上に押し付ける向きに回転させるように、前記付勢ばねが前記拡張甲部枝を付勢している構成である。
【発明の効果】
【０００９】  同実施形態に係る構成には、容易に靴下の生地をその内部から広げることができる効果がある。
【図面の簡単な説明】
【００１０】
【図１】は本発明の実施形態に係る靴下ハンガーの図であって、（Ａ）は拡張状態にある同靴下ハンガーの右側面図、（Ｂ）はα領域部拡大図、（Ｃ）は縮小状態にある同靴下ハンガーの右側面図、（Ｄ）はβ領域拡大図、（Ｅ）は同靴下ハンガー下方部拡大図とＹ１−Ｙ１矢視断面図、（Ｆ）は同靴下ハンガーにおいて他の足裏部枝を適用した場合の靴下ハンガー下方の拡大図とＹ２−Ｙ２矢視断面図及びその一部拡大図である。
【図２】は本発明の実施形態に係る靴下ハンガーの図であって、（Ａ）は拡張状態にある同靴下ハンガーの右側面図、（Ｂ）は縮小状態にある同靴下ハンガーの右側面図、（Ｃ）はＸ１−Ｘ１矢視端面拡大図、（Ｄ１）はＸ２−Ｘ２矢視端面拡大図、（Ｄ２）は同靴下ハンガーのふくらはぎ部枝の断面形状を他の断面形状のものに置き換えた場合のＸ２−Ｘ２矢視端面拡大図、（Ｅ）はＸ３−Ｘ３矢視端面拡大図、（Ｆ）はＸ４−Ｘ４矢視端面拡大図、（Ｇ）はＸ５−Ｘ５矢視端面拡大図、（Ｈ）はＸ６−Ｘ６矢視端面拡大図、（Ｉ）はＸ７−Ｘ７矢視断面拡大図である。
【図３】は本発明の実施形態に係る靴下ハンガーの図であって、（Ａ１）は同靴下ハンガーを縮小状態とし、これに、洗濯後に絞られて縮んだ靴下を被せている図、（Ａ２）は（Ａ１）の状態の同靴下ハンガー正面図、（Ａ３）はγ領域拡大図、（Ｂ１）は前記靴下を被せた後に、同靴下ハンガーを拡張状態として、前記靴下の生地を張った状態を示す図、（Ｂ２）は（Ｂ１）の状態の同靴下ハンガー正面図、（Ｂ３）はδ領域拡大図である。
【図４】は本発明の実施形態に係る靴下ハンガーの図であって、（Ａ１）は縮小状態にある同靴下ハンガーの部分縦断面図、（Ａ２）はθ領域拡大図、（Ｂ１）は同靴下ハンガーを構成する足裏部枝の右側面図、（Ｂ２）はＸ８−Ｘ８矢視断面図、（Ｃ１）は拡張状態にある同靴下ハンガーの部分縦断面図、（Ｃ２）はε領域拡大図である。
【図５】は本発明の実施形態に係る靴下ハンガーの追加構成を示す図であって、（Ａ）と（Ｂ）は甲部ピンにねじりコイルを備えた図、（Ｃ）は足裏部枝に張力弾性体を備えた図、（Ｄ）と（Ｅ）は第１操作部にロック部を備えた図、（Ｆ）は同ロック部で第２操作部をロックしたときの図、（Ｇ）は（Ｆ）の拡大図、（Ｈ）は２つの靴下ハンガーを連結紐で連結した図、（Ｉ）は多数の靴下ハンガーを支持腕に設けた図である。
【発明を実施するための形態】
【００１１】〔実施形態〕
図１に基づいて、本発明の実施形態に係る靴下ハンガーＨを説明する。図１（Ａ）は靴下ハンガーＨの右側面図である。説明の便宜上、同紙面において、上側を上方、下側を下方、左側を前方、右側を後方と呼ぶことがある。
【００１２】  また、靴下ハンガーＨには、操作力が加えられている状態と操作力が解除されている状態の２つがある。この状態に伴って、靴下ハンガーＨの形状は可逆的に変化する。第１形状は図１（Ａ）に示すように、ふくらはぎ部枝１１と拡張すね部枝２１との間隔が広がっている状態の形状である。これは、靴下ハンガーＨの前後上下が拡張している状態なので、拡張状態と呼ぶこともある。第２形状は図１（Ｃ）に示すように、ふくらはぎ部枝１１と拡張すね部枝２１とが近接している状態の形状である。これは、靴下ハンガーＨの各部が直線上に集められている状態なので縮小状態と呼ぶこともある。
【００１３】＜ふくらはぎ部枝と足裏部枝＞
靴下ハンガーＨは靴下の内部に挿入して使用するものである。ふくらはぎ部枝１１は、靴下ハンガーＨを靴下内に挿入したときに、概ね、その靴下のふくらはぎ部分の形状に沿う方向に延びた形状に形成されている。また、足裏部枝１２はその靴下の足裏部の形状に沿う方向に延びた形状に形成されている。図１（Ｂ）に示すように、かかと側保持ピン１１Ｐによって、ふくらはぎ部枝１１と足裏部枝１２とは、お互いに回転可能に連結されている。
【００１４】  図１（Ｂ）と（Ｄ）に示されるように、ふくらはぎ部枝１１端部に形成されているふくらはぎ部当接面１１２と足裏部枝１２端部に形成されている足裏部当接面１２１とが当接するようになっている。この構造により、足裏部枝１２は、ふくらはぎ部枝１１に対して、前方へ回転することができる一方、後方へは回転できなくなっている。
【００１５】＜拡張すね部枝と拡張甲部枝＞
拡張すね部枝２１は、先の靴下のすね部分の形状に沿う方向に延びた形状をしている。また、拡張甲部枝２２は、先の靴下の甲部分の形状に沿う方向に延びた形状をしている。拡張すね部枝２１の端部には、回転可能保持部２１Ｐによって、拡張甲部枝２２が回転可能に保持されている。回転可能保持部２１Ｐは拡張甲部枝２２の両端よりも内側に設けられている。つまり、回転可能保持部２１Ｐを軸として、拡張甲部枝２２の長い方の枝は前方に張り出し、その直線上の後方にはこれよりも短い方の枝が張り出している。
【００１６】＜面上移動部＞
短い枝の端部には面上移動部２２１が設けられている。図１（Ｂ）に示すように、面上移動部２２１はふくらはぎ部枝１１の面上を、記号Ｄの方向に移動する。このふくらはぎ部枝１１の面の表面と、面上移動部２２１とは、研磨や樹脂コーティング等の接触面に摩擦係数を減じる加工を施して摺動するようにしてもよい。あるいは、図１（Ｂ）のように、面上移動部２２１を、拡張甲部枝２２端部に保持された車輪で構成してもよい。
【００１７】＜付勢ばね８＞
回転可能保持部２１Ｐには付勢ばね８が設けられている。この付勢ばね８は、図１（Ａ）及び（Ｂ）において、拡張甲部枝２２を、ふくらはぎ部枝１１に対して、回転可能保持部２１Ｐを中心に時計回りに回すように付勢している。すなわち、付勢ばね８は、面上移動部２２１をふくらはぎ部枝１１の面上に押し付けるように拡張甲部枝２２と拡張すね部枝２１とに付勢している。
【００１８】＜前壁と後壁＞
図１（Ｂ）及び（Ｄ）に示すように、回転可能保持部２１Ｐ付近において、拡張すね部枝２１の内部には空間が設けられている。そして、前側には前壁２１１が形成され後ろ側には開口が設けられ、面上移動部２２１を備えた拡張すね部枝２２の短い枝が出入りできるようになっている。また、拡張甲部枝２２の短い枝の後ろ側には後壁２２３が設けられている。
【００１９】＜ねじりコイル＞
ここでは、付勢ばね８としてねじりコイル８１を用いている。ねじりコイル８１の環は回転可能保持部２１Ｐにはめ込まれて拡張甲部枝２２内に保持されている〔図１（Ｂ）と（Ｄ）〕。ねじりコイル８１は２方向に延びるアーム８１ａと８１ｂとを備えている。そして、一方のアーム８１ａは拡張すね部枝２１の前壁２１１に対して付勢し、もう一方のアーム８１ｂは拡張甲部枝２２の後壁２２３に対して付勢している。
【００２０】＜拡張状態と縮小状態＞
図１（Ｂ）はねじりコイル８１の弾性力が比較的開放されている状態である。これは上述の拡張状態である。このとき、コイル８１の両アーム８１ａと８１ｂとはその開度を更に広げる弾性力を発揮し、この弾性力によって面上移動部２２１がふくらはぎ部枝１１の面上に押し付けられている。一方、図１（Ｄ）は後記する外力によって、ふくらはぎ部枝１１と拡張すね部枝２１とが近接させられた状態の図である。このとき、ねじりコイル８１の両アーム８１ａと８１ｂとは、それぞれ、前壁２１１と後壁２２３とから抗力を受けている。これらの抗力によってねじりコイル８１のアーム８１ａとアーム８１ｂとは圧縮された状態にある。
【００２１】  ふくらはぎ部枝１１には拡張すね部枝２１に向いた側に膨らみ部１１１が設けられている〔図１（Ｂ）と（Ｄ）参照〕。そして、この膨らみ部１１１が面上移動部２２１を前方へ押し込む。この押込作用により、拡張甲部枝２２は回転可能保持部２１Ｐを中心として、更に、紙面上反時計回りに回り、拡張すね部枝２１と拡張甲部枝２２とはほぼ直線状に位置することとなる〔図１（Ｃ）も参照〕。
【００２２】＜すね部可動範囲規制部＞
次に、すね部可動範囲規制部３の構成を説明する。すね部可動範囲規制部３は、図１（Ａ）と（Ｃ）とに示されている第１離間枝３１と第２離間枝３２とで構成されている。第１離間枝３１は、一端がふくらはぎ部枝１１に対して回転可能に、第１止めピン３１ａによって保持されている。そして、他の一端は拡張すね部枝２１に対して回転可能に、第１止めピン３１ｂによって保持されている。また、第２離間枝３２は、一端がふくらはぎ部枝１１に対して回転可能に、第２止めピン３２ａによって保持されている。そして、他の一端は拡張すね部枝２１に対して回転可能に、第２止めピン３２ｂによって保持されている。
【００２３】  第１離間枝３１と第２離間枝３２とは平行な位置関係を保つように、それぞれ、ふくらはぎ部枝１１と拡張すね部枝２１とに保持されている。つまり、第１離間枝３１の両保持位置の間隔と、第２離間枝３２の両保持位置の間隔とが等しくなっている。このような構成により、ふくらはぎ部枝１１と拡張すね部枝２１との間隔が変化するにつれて、第１離間枝３１と第２離間枝３２とが互いに平行な位置関係を保ちながらそれぞれ回転する。この、第１離間枝３１と第２離間枝３２で構成されたすね部可動範囲規制部３の作用により、ふくらはぎ部枝１１と拡張すね部枝２１とは、互いに平行な位置関係を保ちながらその間隔を変化させる。このように、すね部可動範囲規制部３は、ふくらはぎ部枝１１に対する拡張すね部枝２１の可動範囲を規制する作用をする。
【００２４】＜足裏可動範囲規制部＞
次に、足裏可動範囲規制部４の構成を説明する。足裏可動範囲規制部４は足裏部連結枝４１と往復運動可能保持部４２とで構成されている。足裏部連結枝４１は、その一端が拡張甲部枝２２に対して、甲部ピン４１Ｐにより回転可能に保持されている。一方、もう１つの端部は、足裏部枝１２に設けられている往復運動可能保持部４２に保持されている。この端部は足裏部枝１２の延びている方向に往復運動可能である。
【００２５】  図１（Ａ）と（Ｃ）に示す例では、往復運動可能保持部４２は足裏部枝１２の延びている方向に沿って長く形成されている長穴４２である。足裏部連結枝４１の、往復運動可能保持部４２端部には長穴４２を往復運動する可動式止めピン４１Ｑが設けられている。このような構成の足裏可動範囲規制部４によって、拡張甲部枝２２と足裏部枝１２とは連結されている。
【００２６】  したがって、図１（Ｃ）の状態、すなわち縮小状態から、（Ａ）の状態のように拡張甲部枝２２が所定角以上回転すると、足裏部枝１２もこれに追従して回転する。このように、足裏可動範囲規制部４は、前記拡張甲部枝に対する前記足裏部枝の可動範囲を規制する作用をする。図１（Ｅ）はＹ１−Ｙ１矢視断面図である。長穴４２内を移動可能な可動式止めピン４１Ｑに、足裏部連結枝４１の端部が回転可能に保持されていることを示している。
【００２７】＜足裏可動範囲規制部の他の例＞
図１（Ｆ）は長穴４２を用いずに、移動可能な可動式止めピン４１Ｒを構成した例である。可動式止めピン４１Ｒが可動するのは足裏部枝１２Ｂにおいて、幅が細くなっている部分４２Ｂの範囲である。足裏部連結枝４１の端部を回転可能に保持する可動式止めピン４１Ｒは、幅が細くなっている部分４２Ｂを周囲から囲む構造になっている。
【００２８】＜靴下ハンガーＨの動作例＞
次に、靴下ハンガーＨの動作例を説明する。ふくらはぎ部枝１１の上部には、後方へ水平に張り出した第１操作部１１３が形成されている〔図１（Ａ）と（Ｃ）参照〕。一方、拡張すね部枝２１の上部には、後方へ水平に張り出した第２操作部２１３が形成されている。靴下ハンガーＨの使用者は、第１操作部１１３に対しては下から上へ向けて第１操作力Ｆ１を作用させ、第２操作部２１３に対しては上から下へ向けて第２操作力Ｆ２を作用させることができる。この使用者は、第１操作力Ｆ１と第２操作力Ｆ２とによって、ふくらはぎ部枝１１と拡張すね部枝２１とを近接させ、靴下ハンガーＨを縮小状態とすることができる〔図１（Ｃ）〕。これらの第１操作力Ｆ１と第２操作力Ｆ２という力は、ねじりコイル８１の反発力に抗してこれを圧縮する力である。
【００２９】  以上説明した靴下ハンガーＨの構成により、ふくらはぎ部枝１１と拡張すね部枝２１とを近接させると、図１（Ｃ）に示すように、ふくらはぎ部枝１１と足裏部枝１２及び、拡張すね部枝２１と拡張甲部枝２２とがほぼ一直線上にそろう。そして、第１操作力Ｆ１と第２操作力Ｆ２を開放すると、ねじりコイル８１の反発力によって、ふくらはぎ部枝１１と拡張すね部枝２１との間隔が広がる。そうすると図１（Ａ）に示すように、拡張甲部枝２２と足裏部枝１２とは、それぞれ、拡張すね部枝２１及びふくらはぎ部枝１１に対して回転する。その結果、拡張甲部枝２２と足裏部枝１２との間隔も広がる動きをする。
【００３０】＜弾性連結部＞
また、図１（Ａ）と（Ｃ）に示すように、第１操作部１１３と第２操作部２１３とを弾性連結部５で連結してもよい。弾性連結部５は書類等を挟むクリップにも用いられる鋼を適用することができる。ふくらはぎ部枝１１と拡張すね部枝２１との間隔の最大時において、両端を広げる弾性力が若干残る状態の弾性連結部５で第１操作部１１３と第２操作部２１３とを連結する。そうすると、弾性連結部５はふくらはぎ部枝１１と拡張すね部枝２１とを離間させる付勢力を有する連結部として作用する。これは、弾性連結部５の反発力がねじりコイル８１の反発力を補助する構成である。
【００３１】＜靴下ハンガーＨの断面構造＞
次に、図２に基づいて靴下ハンガーＨの断面構造を説明する。図２（Ａ）は拡張状態である靴下ハンガーＨの右側面図であり、（Ｂ）は縮小状態である靴下ハンガーＨの右側面図である。（Ｃ）は、Ｘ１−Ｘ１矢視端面拡大図である。ふくらはぎ部枝１１と拡張すね部枝２１とは、このように中が詰まっていてもよいし、強度を維持できれば中空でもよい。この例では、第１離間枝３１は右側面のみに設けられているが、左右両側に設けてもよい。
【００３２】  図２（Ｄ１）はＸ２−Ｘ２矢視端面拡大図である。この端面図においては、ふくらはぎ部枝１１と面上移動部２２１とは接触していない。しかし、この端面よりも下方で、面上移動部２２１はふくらはぎ部枝１１に押し付けられて接していている。この押し付ける力は、ねじりコイル８１によるものである。同端面拡大図では、ねじりコイル８１のアーム８１ｂの断面が表されている。（Ｄ２）は異なる断面をもつふくらはぎ部枝１１Ｂを用いた場合のＸ２−Ｘ２矢視端面拡大図である。面上移動部２２１Ｂの面した部分のふくらはぎ部枝１１Ｂの断面は凹状に凹んでいる。この凹みによって、面上移動部２２１Ｂが的確にふくらはぎ部枝１１Ｂの面上を移動することができる。
【００３３】  図２（Ｅ）はＸ３−Ｘ３矢視端面拡大図である。拡張すね部枝２１の内部で、回転可能保持部２１Ｐによって拡張甲部枝２２が保持されていることが表されている。そして、ねじりコイル８１の環状部分に回転可能保持部２１Ｐがはめ込まれている。
【００３４】  図２（Ｆ）と、（Ｇ）と、（Ｈ）及び（Ｉ）は、靴下ハンガーＨが縮小状態である場合〔図１（Ｂ）〕の矢視端面図である。（Ｆ）に示されるように、ふくらはぎ部枝１１に設けられている膨らみ部１１１が、面上移動部２２１を拡張すね部枝２１内に押し込んでいる。
【００３５】  図２（Ｇ）はＸ５−Ｘ５矢視端面拡大図である。この端面には、ふくらはぎ部当接面１１２が表されている。この下方では、ふくらはぎ部当接面１１２と、足裏部枝１２上部の足裏部当接面１２１とが当接して押し合うことにより、足裏部枝１２がふくらはぎ部枝１１よりも後方へ回り込むことを防止している。
【００３６】  図２（Ｈ）はＸ６−Ｘ６矢視端面拡大図である。回転可能保持部２１Ｐよりも下方では、拡張甲部枝２２は、左右同一形状の２枚の板から成っている。同端面図にはこれが表されている。一方、足裏部枝１２と足裏部連結枝４１とはそれぞれ、１枚の板で構成されていて、可動式止めピン４１Ｑで保持されている。
【００３７】  図２（Ｉ）はＸ７−Ｘ７矢視断面拡大図である。左右の拡張甲部枝２２の間に一枚板の足裏部枝１２が収納されている。そして、拡張甲部枝２２には足裏部連結枝４１が、甲部ピン４１Ｐで保持されている。
【００３８】＜靴下ハンガーＨの使用方法＞
次に図３に基づいて、靴下ハンガーＨの使用方法を説明する。図３（Ａ１）は靴下ハンガーＨの上部を右手で掴んでふくらはぎ部枝１１と拡張すね部枝２１を接近させている状態を示している。靴下ハンガーＨは縮小状態となって直線的な形状をしている。左手で、洗濯後に絞られて縮んでいる靴下をこのハンガーＨの本体、すなわち、足裏部枝１２と、ふくらはぎ部枝１１と、拡張甲部枝２２及び拡張すね部枝２１へ被せる。図３（Ａ２）はこの時の靴下ハンガーＨの正面図である。拡張すね部枝２１と、拡張甲部枝２２及び足裏部枝１２は左右対称である。一方、第１離間枝３１と、第２離間枝３２及び、足裏部連結枝４１は右側面のみに設けられている。（Ａ３）はγ領域拡大図である。
【００３９】  靴下内部に靴下ハンガーＨを挿入した後、加えている操作力を開放して、靴下ハンガーＨを図３（Ｂ１）に示すような拡張状態とする。ふくらはぎ部枝１１と拡張すね部枝２１との間隔が広がっている。そして、拡張甲部枝２２と足裏部枝１２とは、それぞれ、拡張すね部枝２１及びふくらはぎ部枝１１に対して回転し、拡張甲部枝２２と足裏部枝１２との間隔も広がる。このようにして、靴下ハンガーＨは靴下内部から生地を張ることとなる。図３（Ｂ２）はこの時の靴下ハンガーＨの正面図である。（Ｂ３）はδ領域拡大図である。
【００４０】＜靴下ハンガーＨの縦断面構造＞
次に図４に基づいて、靴下ハンガーＨの縦断面構造を説明する。図４（Ａ１）は靴下ハンガーＨの縦断面図である。この例では、ふくらはぎ部枝１１の内部には空間は設けられていない。一方、拡張すね部枝２１の下方には空間が設けられている。拡張すね部枝２１の前方には前壁２１１が設けられて前記空間は外部と隔てられている。しかし、前壁２１１に相対する後方には外部との隔壁が無く、拡張甲部枝２２の上部に設けられている面上移動部２２１が外部から前記空間内に出入りできるようになっている。
【００４１】  （Ａ２）のθ領域拡大図に示すように、前記空間内で、拡張すね部枝２１に設けられている回転可能保持部２１Ｐに、拡張甲部枝２１は回転可能に保持されている。拡張甲部枝２１上方にも内部に空間が設けられており、その中にねじりコイルバネ８１が収納されている。ねじりコイルバネ８１の環状部分は回転可能保持部２１Ｐにはめ込まれている。ねじりコイルバネ８１から２方向に張り出した２本のアームのうち、アーム８１ａは、拡張甲部枝２１の後壁２２３を後方へ押している。後壁２２３に相対する前方側には壁は無く、開口となっている。この開口を通して、アーム８１ｂは拡張すね部枝２１の前壁２１１を前方へ押している。
【００４２】  図４（Ｂ１）は足裏部枝１２単体の拡大図である。（Ｂ２）はＸ８−Ｘ８矢視断面図である。足裏部枝１２には、足裏部枝１２の延びている方向と同一方向へ延びている長穴４２が設けられている。そして、足裏部枝１２の上部は厚みが薄くなって、保持穴１２２が設けられている。これは、かかと側保持ピン１１Ｐを介して、ふくらはぎ部枝１１に保持されるための穴である。上記の厚みが薄くなっている境の段差は足裏部当接面１２１であり、ふくらはぎ部枝１１のふくらはぎ部当接面１１２に当接して、回転する範囲を規制するものである。
【００４３】  図４（Ｃ１）は、ねじりコイル８１と、弾性連結部５の反発力によって、ふくらはぎ部枝１１と拡張すね部枝２１とが離間した状態、すなわち、拡張状態の靴下ハンガーＨの縦断面図である。面上移動部２２１は拡張すね部枝２１下方の空間から外部に出て、ふくらはぎ部枝１１の面を押している。また、図４（Ｃ２）にも示すように、拡張足裏部枝２２の空間内にあるねじりコイル８１から張り出したアーム８１ｂは拡張すね部枝２１の前壁２１１を前方へ押している。
【００４４】  図４（Ａ２）と（Ｃ２）に示すように、ふくらはぎ部枝１１の下端付近には空間が開いていて、この中に、足裏部枝１２の上端部の薄く形成された部分が入り込む。ふくらはぎ部枝１１の下端付近の空間の周囲後方側には、ふくらはぎ部当接面１１２が設けられている。ふくらはぎ部枝１１の下端部が、足裏部枝１２の上端部の薄く形成された部分を左右から囲う。そして、かかと側保持ピン１１Ｐが、足裏部枝１２をふくらはぎ部枝１１に保持している。以上、本発明の実施形態の例である靴下ハンガーＨの構成を説明した。
【００４５】＜追加構成＞
次に、図５に基づいて、靴下ハンガーＨの追加構成を説明する。図５（Ａ）と（Ｂ）は、甲部ピン４１Ｐにねじりコイル４３を装着した例である。ねじりコイル４３の環は甲部ピン４１Ｐにはめ込まれている。そして、ねじりコイル４３の一方のアームは拡張甲部枝２２に保持され、他方のアームは足裏部連結枝４１に保持されている。このような構成にすると、（Ａ）に示すようにふくらはぎ部枝１１と拡張すね部枝２１とが離間したときに、ねじりコイル４３の反発力によって、足裏部連結枝４１の拡張甲部枝２２に対する開度が確実に増す。したがって、足裏部枝１２の前方端部と拡張甲部枝２２の前方端部とが確実に離間する効果がある。（Ｂ）に示すように、ふくらはぎ部枝１１と拡張すね部枝２１とが近接しているときは、図示しない操作力Ｆ１とＦ２とによって、ねじりコイル４３の両アームは狭い開度に圧縮された状態になっている。
【００４６】  上記のように、甲部ピン４１Ｐにねじりコイル４３を設ける他に、足裏部枝１２の前方端部に錘１２３を設けてもよい〔図５（Ａ）〕。このようにすると、ふくらはぎ部枝１１と拡張すね部枝２１とが離間したときに、錘１２３の重みにより、足裏部枝１２の前方端部と拡張甲部枝２２の前方端部とが確実に離間する。
【００４７】  図５（Ｃ）は、上記とは異なる構成で、足裏部枝１２の前方端部と拡張甲部枝２２の前方端部とを確実に離間させるものである。足裏部枝１２の前方端部付近には、張力弾性体４３Ｂを固定する張力作用部１２Ｂ１が形成されている。一方、可動式止めピン４１Ｑにも張力弾性体４３Ｂを固定する張力作用部４１Ｓが設けられている。張力弾性体４３Ｂはゴムや張力ばねを適用することができる。このような構成にすると、張力作用部４１Ｓを有する可動式止めピン４１Ｑは、常に、足裏部枝１２の前方端部に向けて付勢されていることとなる。そうすると、ふくらはぎ部枝１１と拡張すね部枝２１とが離間するにつれて、足裏部連結枝４１の拡張甲部枝２２に対する開度も増し、足裏部枝１２の前方端部と拡張甲部枝２２の前方端部とが確実に離間することとなる。
【００４８】＜ロック部＞
図５（Ｄ）、（Ｅ）、（Ｆ）及び（Ｇ）は、靴下ハンガーＨにロック部６を設けた例を示す図である。ロック部６はロックピン６１とこれを保持するロック保持部６２とからなる。図５（Ｄ）に示すように、ロック保持部６２は、ふくらはぎ部枝１１上部又は第１操作部１１３に固定された筒状部材である。これは上下方向に延びている円筒形状である。ロックピン６１の上下方向に延びている基部はロック保持部６２に保持されている。そして、その基部の上方は直角に曲がり、前方（紙面右側）へ延びている。基部上方は前方へ延びているため、図５（Ｄ）と（Ｅ）に示すように、拡張すね部枝２１の動き干渉することは無い。
【００４９】  ロックピン６１はロック保持部６２に保持されていて、上方向へ抜けて外れることは無い。しかし、基部を軸としてロックピン６１を回すことは可能である。図１（Ｆ）は、拡張すね部枝２１をふくらはぎ部枝１１に近接させたときに、ロックピン６１を回してロック状態とした図である。（Ｇ）はこの拡大図である。この状態では、第１操作部１１３と第２操作部２１３都に、それぞれ、第１操作力Ｆ１と第２操作力Ｆ２とを加えなくても、拡張すね部枝２１をふくらはぎ部枝１１に近接させた状態を維持することができる。すなわち、靴下ハンガーＨの縮小状態を維持することができる。このようにロック状態にすれば、使用者は両手を使って、靴下ハンガーＨを靴下内部に挿入することができる。
【００５０】  図５（Ｈ）は本発明の実施形態に係る靴下ハンガーＨの適用例を示す図である。２つの靴下ハンガーＨを連結紐７で連結した状態を示している。このようにすると、一対の靴下を同時に干すことができて便利である。また、図５（Ｉ）は合成樹脂、木材などの天然素材、炭素繊維、ガラス繊維若しくは金属で形成され、適度な剛性を有する支持腕９に複数の靴下ハンガーＨを吊り下げた構成を示す図である。このような構成にすると、所定の場所に多数の靴下を干すのに便利である。
【００５１】  以上説明した靴下ハンガーＨの、ふくらはぎ部枝１１と、足裏部枝１２と、拡張すね部枝２１と、拡張甲部枝２２と、第１離間枝３１と、第２離間枝３２及び、足裏部連結枝４１とは、強度さえ確保されれば、合成樹脂、木材などの天然素材、炭素繊維、ガラス繊維若しくは金属で構成してもよい。
【符号の説明】
【００５２】Ｈ…靴下ハンガー、Ｆ１…第１操作力、Ｆ２…第２操作力、
１１，１１Ｂ…ふくらはぎ部枝、１１Ｐ…かかと側保持ピン、
１１１…膨らみ部、１１２…ふくらはぎ部当接面、１１３…第１操作部、
１２，１２Ｂ…足裏部枝、１２Ｂ１…張力作用部、１２１…足裏部当接面、
１２２…保持穴、１２３…錘、
２１…拡張すね部枝、２１Ｐ…回転可能保持部、２１１…前壁、２１３…第２操作部、
２２…拡張甲部枝、２２１，２１１Ｂ…面上移動部、２２３…後壁、
３…すね部可動範囲規制部、３１…第１離間枝、３１ａ，３１ｂ…第１止めピン、
３２…第２離間枝、３２ａ，３２ｂ…第２止めピン、
４…足裏可動範囲規制部、４１…足裏部連結枝、４１Ｐ…甲部ピン、
４１Ｑ，４１Ｒ…可動式止めピン、４１Ｓ…張力作用部、
４２…往復運動可能保持部（長穴）、４２Ｂ…幅が細くなっている部分、
４３…ねじりコイル、４３Ｂ…張力弾性体、５…弾性連結部、
６…ロック部、７…連結紐、９…支持腕、
８…付勢ばね、８１…ねじりコイル、８１ａ，８１ｂ…アーム。
【図１】
2019005523.tif 000003
【図２】
2019005523.tif 000004
【図３】
2019005523.tif 000005
【図４】
2019005523.tif 000006
【図５】
2019005523.tif 000007